(57)【要約】【課題】巻線の端部を長く延ばすことなく信号処理回路に接続可能な電流センサを提供すること。【解決手段】電流センサ２０は、ケース３０と、ケース３０の内部に収容されたスペーサ３２と、第１磁気コア４２と、第１磁気コア４２に巻回された第１巻線４６と、第２磁気コア５２と、第２磁気コア５２に巻回された第２巻線５６と、第１ピン６２と、第２ピン６４とを備えている。ケース３０は、スペーサ３２を境界とする第１空間３８２及び第２空間３８４を有している。第１磁気コア４２は、第１空間３８２に収容されており、第２磁気コア５２は、第２空間３８４に収容されている。第１ピン６２の一部を第１空間３８２に配置することで、第１巻線４６の端部４６８を、第１空間３８２において第１ピン６２に接続できる。第２ピン６４の一部を第２空間３８４に配置することで、第２巻線５６の端部５６８を、第２空間３８４において第２ピン６４に接続できる。【選択図】図６
2018179570.tif 000002
【特許請求の範囲】
【請求項１】
第１磁気コアと第２磁気コアとを備えた電流センサであって、
前記電流センサは、前記第１磁気コア及び前記第２磁気コアに加えて、ケースと、スペーサと、第１巻線と、第２巻線と、第１ピンと、第２ピンとを備えており、
前記スペーサは、前記ケースの内部に収容されており、
前記ケースには、上下方向において前記スペーサの下方に位置する第１空間と、前記スペーサの上方に位置する第２空間とが形成されており、
前記第１磁気コアは、前記第１空間に収容されており、
前記第２磁気コアは、前記第２空間に収容されており、
前記第１ピンは、前記スペーサに保持されており、且つ、前記第１空間と前記ケースの外部との間を延びており、
前記第１巻線は、前記第１磁気コアに巻回されており、
前記第１巻線の端部は、前記第１空間において前記第１ピンに接続されており、
前記第２ピンは、前記第２空間と前記ケースの外部との間を延びており、
前記第２巻線は、前記第２磁気コアに巻回されており、
前記第２巻線の端部は、前記第２ピンに接続されている
電流センサ。
【請求項２】
請求項１記載の電流センサであって、
前記第２巻線の前記端部は、前記第２空間において前記第２ピンに接続されている
電流センサ。
【請求項３】
請求項１又は請求項２記載の電流センサであって、
前記電流センサは、蓋を備えており、
前記蓋は、前記ケースの上端部に取り付けられており、
前記第１ピン及び前記第２ピンの夫々は、前記蓋を通過して前記ケースの外部に突出している
電流センサ。
【請求項４】
請求項３記載の電流センサであって、
前記第２ピンは、前記蓋に保持されている
電流センサ。
【請求項５】
請求項４記載の電流センサであって、
前記第２ピンの下端部は、前記上下方向と交差する方向に延びるように折れ曲がっており、
前記第２巻線の前記端部は、前記第２ピンの前記下端部に接続されている
電流センサ。
【請求項６】
請求項１から請求項３までのいずれかに記載の電流センサであって、
前記第２ピンは、前記スペーサに保持されている
電流センサ。
【発明の詳細な説明】
【技術分野】
【０００１】
本発明は、２つの磁気コアを備えた電流センサに関する。
【背景技術】
【０００２】
特許文献１には、このタイプの電流センサが開示されている。
【０００３】
特許文献１に開示された電流センサは、第１のコア（第１磁気コア）と第２のコア（第２磁気コア）とを備えており、信号処理回路と共に電流検出装置を構成している。第１磁気コア及び第２磁気コアは、共通のケースの内部に収容されている。第１磁気コア及び第２磁気コアの夫々には、二次巻線（巻線）が巻回されている。巻線の夫々は、ケースの外部に引き出されて、信号処理回路に接続されている。
【先行技術文献】
【特許文献】
【０００４】
【特許文献１】特開２０１５−９５３２３号公報
【発明の概要】
【発明が解決しようとする課題】
【０００５】
一般的に、電流センサに使用される磁気コアの巻線は細い。ケースの内部から外部まで巻線を引き出す場合、巻線の端部を、磁気コアからケースの外部まで長く延ばす必要がある。しかしながら、巻線の端部を長く延ばすと、端部が断線するおそれがある。また、２つの端部が短絡するおそれがある。
【０００６】
そこで、本発明は、巻線の端部を長く延ばすことなく信号処理回路に接続可能な電流センサを提供することを目的とする。
【課題を解決するための手段】
【０００７】
本発明は、第１の電流センサとして、
第１磁気コアと第２磁気コアとを備えた電流センサであって、
前記電流センサは、前記第１磁気コア及び前記第２磁気コアに加えて、ケースと、スペーサと、第１巻線と、第２巻線と、第１ピンと、第２ピンとを備えており、
前記スペーサは、前記ケースの内部に収容されており、
前記ケースには、上下方向において前記スペーサの下方に位置する第１空間と、前記スペーサの上方に位置する第２空間とが形成されており、
前記第１磁気コアは、前記第１空間に収容されており、
前記第２磁気コアは、前記第２空間に収容されており、
前記第１ピンは、前記スペーサに保持されており、且つ、前記第１空間と前記ケースの外部との間を延びており、
前記第１巻線は、前記第１磁気コアに巻回されており、
前記第１巻線の端部は、前記第１空間において前記第１ピンに接続されており、
前記第２ピンは、前記第２空間と前記ケースの外部との間を延びており、
前記第２巻線は、前記第２磁気コアに巻回されており、
前記第２巻線の端部は、前記第２ピンに接続されている
電流センサを提供する。
【０００８】
また、本発明は、第２の電流センサとして、第１の電流センサであって、
前記第２巻線の前記端部は、前記第２空間において前記第２ピンに接続されている
電流センサを提供する。
【０００９】
また、本発明は、第３の電流センサとして、第１又は第２の電流センサであって、
前記電流センサは、蓋を備えており、
前記蓋は、前記ケースの上端部に取り付けられており、
前記第１ピン及び前記第２ピンの夫々は、前記蓋を通過して前記ケースの外部に突出している
電流センサを提供する。
【００１０】
また、本発明は、第４の電流センサとして、第３の電流センサであって、
前記第２ピンは、前記蓋に保持されている
電流センサを提供する。
【００１１】
また、本発明は、第５の電流センサとして、第４の電流センサであって、
前記第２ピンの下端部は、前記上下方向と交差する方向に延びるように折れ曲がっており、
前記第２巻線の前記端部は、前記第２ピンの前記下端部に接続されている
電流センサを提供する。
【００１２】
また、本発明は、第６の電流センサとして、第１から第３までのいずれかの電流センサであって、
前記第２ピンは、前記スペーサに保持されている
電流センサを提供する。
【発明の効果】
【００１３】
本発明の電流センサによれば、第１磁気コアに巻回された第１巻線の端部は、第１磁気コアを収容する第１空間において第１ピンに接続されている。また、第２ピンは、第２空間とケースの外部との間を延びている。このように配置された第２ピンの一部は、第２空間内部又は第２空間近傍に位置している。従って、第２磁気コアに巻回された第２巻線の端部は、第２磁気コアを収容する第２空間又は第２空間近傍において第２ピンに接続できる。第１ピン及び第２ピンの夫々は、ケースの外部に延びており、信号処理回路に容易に接続できる。従って、本発明の電流センサは、第１巻線の端部及び第２巻線の端部の夫々を長く延ばすことなく、信号処理回路に接続可能である。
【図面の簡単な説明】
【００１４】
【図１】本発明の実施の形態による電流センサを含む電流検出装置を示すブロック図である。電流センサの第１コア部材及び第２コア部材を模式的な斜視図で描画している。外部導体の一部を破線で描画している。
【図２】図１の電流センサの第１コア部材及び第２コア部材を示す斜視図である。外部導体の一部を破線で描画している。第１コア部材において、第１シールドを描画せず、第１磁気コアの隠れた輪郭を１点鎖線で描画している。第２コア部材において、第２シールドを描画せず、第２磁気コアの隠れた輪郭を１点鎖線で描画している。
【図３】図１の電流センサ全体を示す斜視図である。外部導体の一部を破線で描画している。
【図４】図３の電流センサを示す上面図である。
【図５】図３の電流センサを示す分解斜視図である。
【図６】図４の電流センサをＶＩ−ＶＩ線に沿って示す断面図である。
【図７】図６の電流センサの第２ピンの第１変形例を示す側面図である。蓋の一部の輪郭及びスペーサの一部の輪郭を破線で描画している。
【図８】図６の電流センサの第２ピンの第２変形例を示す側面図である。蓋の一部の輪郭及びスペーサの一部の輪郭を破線で描画している。
【図９】図６の電流センサの第２ピンの第３変形例を示す側面図である。蓋の一部の輪郭及びスペーサの一部の輪郭を破線で描画している。
【発明を実施するための形態】
【００１５】
図１を参照すると、本発明の実施の形態による電流センサ２０は、例えば電流検出装置１０の部品として使用される。電流検出装置１０は、電力線である外部導体８０からの地絡や漏電（以下、纏めて「漏電」という。）を検出するための装置である。電流検出装置１０の検出結果は、例えば、遮断器（図示せず）に通知される。遮断器は、漏電の通知を受けたとき、外部導体８０の通電を停止する。
【００１６】
本実施の形態において、２つの外部導体８０には、位相が１８０°ずれた交流（電流）ＣＡが流れている。従って、漏電が生じていない通常時において、２つの外部導体８０を流れる電流ＣＡのベクトル和はゼロである。一方、漏電が生じた漏電時においては、一方の外部導体８０から、直流成分及び交流成分を含む漏電電流ＣＬが外部に漏れる。この結果、２つの外部導体８０を流れる電流ＣＡのベクトル和は、ゼロにならず、漏電電流ＣＬに対応して変動する。換言すれば、漏電時には、外部導体８０に、直流成分及び交流成分を含む漏電電流ＣＬが流れる。電流検出装置１０は、この漏電電流ＣＬを検出するための装置である。
【００１７】
以下、電流検出装置１０の構造及び機能について説明する。
【００１８】
電流検出装置１０は、電流センサ２０に加えて信号処理回路７０を備えている。電流センサ２０は、第１磁気コア４２及び第１巻線４６を含む第１コア部材４０と、第２磁気コア５２及び第２巻線５６を含む第２コア部材５０とを備えている。信号処理回路７０は、励磁／検出部７２と、ＬＰＦ（ローパスフィルタ）７４と、第１判定部７６と、第２判定部７８とを備えている。
【００１９】
第１磁気コア４２及び第２磁気コア５２の夫々は、磁性材料から形成されている。例えば、第１磁気コア４２及び第２磁気コア５２の夫々は、パーマロイコア、ナノ結晶コア、アモルファスコア等の軟磁性材料から作製された圧粉磁芯であってもよいし、巻きコアや積層コアであってもよい。
【００２０】
本実施の形態において、第１磁気コア４２及び第２磁気コア５２の夫々は、外部導体８０から漏電電流ＣＬを検出するための部材である。第１磁気コア４２及び第２磁気コア５２の夫々は、トロイダル形状を有しており、外部導体８０は、電流検出装置１０の使用時に、第１磁気コア４２の中心孔及び第２磁気コア５２の中心孔を通過している。但し、本発明は、これに限られず、第１磁気コア４２及び第２磁気コア５２の夫々は、外部導体８０が延びる方向と直交する平面において外部導体８０を囲むように配置可能である限り、様々な形状に形成可能である。
【００２１】
第１巻線４６及び第２巻線５６の夫々は、例えば絶縁体によって被覆された導電線である。第１巻線４６は、第１磁気コア４２の周りにトロイダル状に巻回されている。第２巻線５６は、第２磁気コア５２の周りにトロイダル状に巻回されている。第１巻線４６は、２つの第１端部（端部）４６８を有している。端部４６８の夫々は、第１巻線４６のうちの第１磁気コア４２に巻回された部位から引き出されて、励磁／検出部７２に接続されている。第２巻線５６は、２つの第２端部（端部）５６８を有している。端部５６８の夫々は、第２巻線５６のうちの第２磁気コア５２に巻回された部位から引き出されて、第２判定部７８に接続されている。
【００２２】
第１磁気コア４２、第１巻線４６、励磁／検出部７２及びローパスフィルタ７４は、フラックスゲート型の第１センサを構成している。第１センサは、漏電電流ＣＬの直流成分を検出すると共に、漏電電流ＣＬの交流成分のうちの低周波を主として検出して、第１判定部７６に出力する。
【００２３】
より具体的には、励磁／検出部７２は、ローパスフィルタ７４に接続されている。ローパスフィルタ７４は、第１判定部７６に接続されている。励磁／検出部７２は、第１磁気コア４２を励磁させ、漏電電流ＣＬの直流成分及び交流成分を含む第１検出信号ＳＤ１を検出して、ローパスフィルタ７４に出力する。ローパスフィルタ７４は、第１検出信号ＳＤ１の第１所定周波数（例えば、６０Ｈｚ）以上の高周波成分をカットする。一方、ローパスフィルタ７４は、第１検出信号ＳＤ１の直流成分及び第１所定周波数以下の交流成分を殆ど減衰させずに通過させ、第１出力信号ＳＯ１として第１判定部７６に出力する。第１判定部７６は、第１出力信号ＳＯ１を使用して、漏電が生じているか否かを判定する。
【００２４】
第２磁気コア５２及び第２巻線５６は、零相変流器である第２センサを構成している。第２センサは、漏電電流ＣＬの交流成分のうちの高周波を主として検出して、第２判定部７８に出力する。
【００２５】
より具体的には、外部導体８０に漏電電流ＣＬが流れると、第２巻線５６に第２検出信号ＳＤ２が流れる。第２検出信号ＳＤ２は、第２出力信号ＳＯ２として、第２判定部７８に出力される。第２巻線５６に生じる第２検出信号ＳＤ２は、漏電電流ＣＬの交流成分の周波数が低くなると減衰する。従って、第２センサは、実質的には、漏電電流ＣＬの交流成分のうち第２所定周波数（例えば、５０Ｈｚ）以上の成分のみを検出できる。第２判定部７８は、第２出力信号ＳＯ２を使用して、漏電が生じているか否かを判定する。
【００２６】
第１判定部７６及び第２判定部７８の夫々は、例えば、遮断器（図示せず）に判定結果を通知する。この結果、第１判定部７６及び第２判定部７８のうちの少なくとも一方が漏電が生じていると判定したときに、外部導体８０の通電が停止される。
【００２７】
上述のように第１判定部７６及び第２判定部７８によって漏電の有無を判定する場合、所定範囲の交流成分が、第１出力信号ＳＯ１及び第２出力信号ＳＯ２の双方に出力されることが好ましい。換言すれば、第１所定周波数が第２所定周波数よりも大きいことが好ましい。本実施の形態においては、第２磁気コア５２の厚さを第１磁気コア４２の厚さよりも小さくすることで、この条件を満たしつつ電流センサ２０を小型化できる。
【００２８】
以下、電流センサ２０の構造及び機能について、より具体的に説明する。
【００２９】
図２及び図５を参照すると、本実施の形態において、電流センサ２０の第１コア部材４０は、第１磁気コア４２及び第１巻線４６に加えて、樹脂等の絶縁体からなる第１コアケース４４と、アルミニウムなどの電磁シールド材料からなる第１シールド４８を備えている。電流センサ２０の第２コア部材５０は、第２磁気コア５２及び第２巻線５６に加えて、樹脂等の絶縁体からなる第２コアケース５４、アルミニウムなどの電磁シールド材料からなる第２シールド５８を備えている。
【００３０】
図２を参照すると、第１コアケース４４は、第１磁気コア４２に対応したトロイダル形状を有しており、第２コアケース５４は、第２磁気コア５２に対応したトロイダル形状を有している。第１磁気コア４２は、第１コアケース４４の内部に収容されており、これにより絶縁されている。同様に、第２磁気コア５２は、第２コアケース５４の内部に収容されており、これにより絶縁されている。但し、本発明は、これに限られない。例えば、第１コアケース４４は、第１磁気コア４２を収容可能であり、且つ、外部導体８０を通過させるための中心孔を有している限り、どのような形状を有していてもよい。同様に、第２コアケース５４は、第２磁気コア５２を収容可能であり、且つ、外部導体８０を通過させるための中心孔を有している限り、どのような形状を有していてもよい。また、第１コアケース４４及び第２コアケース５４は、必要に応じて設ければよい。
【００３１】
第１巻線４６は、第１磁気コア４２を収容した第１コアケース４４の周りにトロイダル状に巻回されている。第２巻線５６は、第２磁気コア５２を収容した第２コアケース５４の周りにトロイダル状に巻回されている。即ち、本実施の形態において、第１巻線４６は、第１コアケース４４を介して第１磁気コア４２に間接的に巻回されており、第２巻線５６は、第２コアケース５４を介して第２磁気コア５２に間接的に巻回されている。但し、本発明は、これに限られない。例えば、第１磁気コア４２と第１巻線４６との間を絶縁する必要がない場合、第１巻線４６は、第１磁気コア４２に直接的に巻回されていてもよい。同様に、第２磁気コア５２と第２巻線５６との間を絶縁する必要がない場合、第２巻線５６は、第２磁気コア５２に直接的に巻回されていてもよい。
【００３２】
図５を図２と併せて参照すると、第１シールド４８は、第１巻線４６を覆うようにして取り付けられており、第１巻線４６の端部４６８は、第１シールド４８の外部に引き出されている。第２シールド５８は、第２巻線５６を覆うようにして取り付けられており、第２巻線５６の端部５６８は、第２シールド５８の外部に引き出されている。
【００３３】
本実施の形態の第１磁気コア４２及び第２磁気コア５２は、微弱な漏電電流ＣＬ（図１参照）を検出するためのものであり、外部磁界の影響を受けやすい。本実施の形態において、第１シールド４８は、全体としてトロイダル形状を有しており、第１巻線４６の殆どを覆っている。同様に、第２シールド５８は、全体としてトロイダル形状を有しており、第２巻線５６の殆どを覆っている。第１シールド４８及び第２シールド５８を上述のように取り付けることで、第１磁気コア４２及び第２磁気コア５２を電磁シールドして外部磁界の影響を防止できる。但し、本発明は、これに限られない。例えば、第１シールド４８及び第２シールド５８の夫々は、必要に応じて設ければよい。また、第１シールド４８及び第２シールド５８は、夫々、第１巻線４６及び第２巻線５６を部分的に覆っていてもよい。
【００３４】
第１シールド４８の材料は、第２シールド５８の材料と異なっていてもよい。例えば、第１シールド４８は、磁気シールド機能に優れたパーマロイから形成して、外部磁界の影響を受けやすい低周波検出用の第１磁気コア４２を、より確実に磁気シールドしてもよい。一方、高周波検出用の第２磁気コア５２は、第１磁気コア４２と比較して外部磁界の影響を受け難い。従って、第２磁気コア５２用の第２シールド５８は、珪素鋼板等の比較的安価な材料から形成してもよい。
【００３５】
図３から図５までを参照すると、電流センサ２０は、第１コア部材４０及び第２コア部材５０に加えて、ケース３０と、スペーサ３２と、蓋３４と、２つの第１ピン６２と、２つの第２ピン６４とを備えている。ケース３０、スペーサ３２及び蓋３４の夫々は、樹脂等の絶縁体からなる。第１ピン６２及び第２ピン６４の夫々は、被覆導線などの導電体からなる。
【００３６】
図５に示されるように、ケース３０は、底のある箱である。詳しくは、ケース３０は、収容部３０２を有している。収容部３０２は、上下方向（Ｚ方向）における下端に底を有し且つ上方に開口した空間である。図４及び図５を参照すると、本実施の形態によるケース３０は、上下方向と直交する水平面（ＸＹ平面）において、円形の部位と矩形の部位とを組み合わせた形状を有している。円形の部位の中心部には、通過孔３０８が形成されている。通過孔３０８は、水平面において円形状を有しており、ケース３０を上下方向に貫通している。
【００３７】
図５に示されるように、スペーサ３２は、水平面（ＸＹ平面）上を延びる平板である。詳しくは、スペーサ３２は、第１面３２６と、第２面３２８とを有している。第１面３２６及び第２面３２８の夫々は、水平面上を延びる平面である。スペーサ３２は、水平面において、ケース３０の収容部３０２に対応した形状を有している。スペーサ３２は、２つの第１保持部３２２と、２つの第２保持部３２４とを有している。本実施の形態において、第１保持部３２２及び第２保持部３２４の夫々は、スペーサ３２に形成された孔である。
【００３８】
蓋３４は、水平面（ＸＹ平面）上を延びる平板である。蓋３４は、水平面において、ケース３０の収容部３０２に対応した形状を有している。蓋３４には、２つの第１孔（第１保持部）３４２と、２つの第２孔（第２保持部）３４４とが形成されている。第１孔３４２及び第２孔３４４の夫々は、蓋３４を上下方向（Ｚ方向）に貫通している。第１孔３４２は、水平面において、第１保持部３２２と同じ位置に設けられている。第２孔３４４は、水平面において、第２保持部３２４と同じ位置に設けられている。
【００３９】
第１ピン６２及び第２ピン６４の夫々は、容易に曲がらない程度の高い剛性を有するピンであり、直線状に延びている。第１ピン６２の夫々は、第１接続部６２２と、第１下端部（下端部）６２８とを有している。第２ピン６４の夫々は、第２接続部６４２と、第２下端部（下端部）６４８とを有している。本実施の形態において、第１ピン６２の水平面（ＸＹ平面）におけるサイズは、蓋３４の第１孔３４２の水平面における最小サイズよりも僅かに大きく、且つ、スペーサ３２の第１保持部３２２の水平面における最小サイズよりも僅かに大きい。同様に、第２ピン６４の水平面におけるサイズは、蓋３４の第２孔３４４の水平面における最小サイズよりも僅かに大きく、且つ、スペーサ３２の第２保持部３２４の水平面における最小サイズよりも僅かに大きい。
【００４０】
本実施の形態の電流センサ２０は、以下のように組み立てられている。
【００４１】
図２を参照すると、まず、第１磁気コア４２を第１コアケース４４の内部に収容し、第２磁気コア５２を第２コアケース５４の内部に収容する。次に、第１巻線４６を第１コアケース４４の周囲に巻回し、第２巻線５６を第２コアケース５４の周囲に巻回する。図２及び図５を参照すると、次に、第１巻線４６を覆うようにして第１シールド４８を取り付け、絶縁テープ等の固定部材（図示せず）を使用して固定する。このとき、第１巻線４６の端部４６８を第１シールド４８の外部に引き出す。同様に、第２巻線５６を覆うようにして第２シールド５８を取り付け、固定部材を使用して固定する。このとき、第２巻線５６の端部５６８を第２シールド５８の外部に引き出す。図５を参照すると、次に、第１シールド４８を、接着剤等によってスペーサ３２の第１面３２６に固定する。同様に、第２磁気コア５２を、接着剤等によってスペーサ３２の第２面３２８に固定する。
【００４２】
上述の組立工程により、スペーサ３２、第１コア部材４０及び第２コア部材５０が組み合わせられる。
【００４３】
図５及び図６を参照すると、次に、第１ピン６２を、蓋３４の第１孔３４２に夫々圧入して第１孔３４２を通過させ、更に、スペーサ３２の第１保持部３２２に夫々圧入して第１保持部３２２を通過させる。同様に、第２ピン６４を、蓋３４の第２孔３４４に夫々圧入して第２孔３４４を通過させ、更に、スペーサ３２の第２保持部３２４に夫々圧入する。この状態で、第２シールド５８を、接着剤等によって蓋３４の下面（−Ｚ側の面）に固定する。このとき、第１ピン６２の夫々において、第１接続部６２２は、蓋３４から上方に突出しており、下端部６２８は、スペーサ３２から下方に突出している。また、第２ピン６４の夫々において、第２接続部６４２は、蓋３４から上方に突出しており、下端部６４８は、スペーサ３２と蓋３４との間を延びている。
【００４４】
次に、第１巻線４６の２つの端部４６８を、２つの第１ピン６２の下端部６２８に夫々絡げて半田付け等によって固定する。同様に、第２巻線５６の２つの端部５６８を、２つの第２ピン６４の下端部６４８に夫々絡げて半田付け等によって固定する。次に、以上のように組み合わされたスペーサ３２、蓋３４、第１コア部材４０及び第２コア部材５０を、ケース３０の内部に挿入する。この結果、蓋３４は、ケース３０の上端部（＋Ｚ側の端部）に位置する。
【００４５】
上述の組立工程により、電流センサ２０が組み立てられる。
【００４６】
図６を参照すると、以上のように組み立てられた電流センサ２０において、スペーサ３２は、ケース３０の収容部３０２に収容されており、これにより、ケース３０の収容部３０２を、第１空間３８２と、第２空間３８４とに分割している。第１空間３８２は、スペーサ３２の下方に位置しており、第２空間３８４は、スペーサ３２の上方に位置している。換言すれば、ケース３０には、Ｚ方向（上下方向）においてスペーサ３２の下方に位置する第１空間３８２と、スペーサ３２の上方に位置する第２空間３８４とが形成されている。
【００４７】
第１コア部材４０は、その全体が第１空間３８２に収容されている。即ち、第１磁気コア４２、第１コアケース４４、第１巻線４６及び第１シールド４８は、第１空間３８２に収容されている。第１磁気コア４２に巻回された第１巻線４６の２つの端部４６８は、第１磁気コア４２を収容する第１空間３８２において、２つの第１ピン６２の下端部６２８に夫々接続されている。従って、端部４６８を長く延ばすことなく、第１ピン６２に接続可能である。
【００４８】
本実施の形態において、第２コア部材５０は、その全体が第２空間３８４に収容されている。即ち、第２磁気コア５２、第２コアケース５４、第２巻線５６及び第２シールド５８は、第２空間３８４に収容されている。第２磁気コア５２に巻回された第２巻線５６の２つの端部５６８は、第２磁気コア５２を収容する第２空間３８４において、２つの第２ピン６４の下端部６４８に夫々接続されている。従って、端部５６８を長く延ばすことなく、第２ピン６４に接続可能である。
【００４９】
図３及び図６を参照すると、第１ピン６２は、スペーサ３２及び蓋３４に保持されており、且つ、第１空間３８２とケース３０の外部との間を延びている。同様に、第２ピン６４は、スペーサ３２及び蓋３４に保持されており、且つ、第２空間３８４とケース３０の外部との間を延びている。この配置により、第１ピン６２及び第２ピン６４の夫々は、蓋３４を通過してケース３０の外部に突出している。第１ピン６２の第１接続部６２２及び第２ピン６４の第２接続部６４２の夫々は、ケース３０の外部に延びており、信号処理回路７０（図１参照）に容易に接続できる。従って、電流センサ２０は、第１巻線４６の端部４６８及び第２巻線５６の端部５６８の夫々を長く延ばすことなく、信号処理回路７０に接続可能である。
【００５０】
上述したように、本実施の形態によれば、第１巻線４６の端部４６８及び第２巻線５６の端部５６８の夫々を長く延ばす必要がない。従って、端部４６８及び端部５６８の断線及び短絡を効果的に防止できる。
【００５１】
本実施の形態の電流センサ２０は、既に述べた変形例に加えて、以下に説明するように、更に様々に変形可能である。
【００５２】
図５を参照すると、本実施の形態による第１ピン６２及び第２ピン６４の夫々は、円柱形状を有している。但し、本発明は、これに限られない。第１ピン６２及び第２ピン６４の夫々は、容易に曲がらない程度の高い剛性を有する限り、角柱形状や板形状等の様々な形状に形成できる。
【００５３】
図３を参照すると、本実施の形態において、２つの第１ピン６２は、横方向（Ｙ方向）において隣り合っており、２つの第２ピン６４は、横方向において隣り合っている。但し、本発明は、これに限られない。例えば、第１ピン６２及び第２ピン６４は、横方向において交互に並んでいてもよい。
【００５４】
図５及び図６を参照すると、本実施の形態において、第１ピン６２及び第２ピン６４の夫々は、スペーサ３２及び蓋３４の双方に保持されている。但し、第１ピン６２及び第２ピン６４の夫々は、スペーサ３２のみに保持されていてもよい。この場合、蓋３４の第１孔３４２の水平面（ＸＹ平面）におけるサイズは、第１ピン６２の水平面におけるサイズよりも大きくてもよい。また、蓋３４の第２孔３４４の水平面におけるサイズは、第２ピン６４の水平面におけるサイズよりも大きくてもよい。
【００５５】
図６を参照すると、第１ピン６２の夫々は、スペーサ３２のみに保持されていてもよい。第２ピン６４の夫々は、蓋３４のみに保持されていてもよいし、ケース３０に保持されていてもよい。スペーサ３２は、第１コア部材４０及び第２コア部材５０を固定でき、且つ、第１ピン６２を保持できる限り、どのような形状及びサイズを有していてもよい。また、蓋３４の形状及びサイズは、本実施の形態に限られない。例えば、蓋３４は、ケース３０の収容部３０２を部分的に覆っていてもよい。更に、電流センサ２０は、蓋３４を備えていなくてもよい。図３及び図５を参照すると、ケース３０は、通過孔３０８が設けられており、且つ、第１コア部材４０及び第２コア部材５０を固定したスペーサ３２を収容できる限り、どのような形状及びサイズを有していてもよい。
【００５６】
電流センサ２０は、防水加工を施してもよい。この場合、第２空間３８４に樹脂等の封止剤を注入してもよいし、蓋３４とケース３０との間の隙間を接着剤等によって封止してもよい。更に、蓋３４を設けることなく、第２空間３８４に樹脂等の封止剤を注入して、第２コア部材５０全体を封止剤の中に埋設してもよい。第２空間３８４に樹脂等の封止剤を注入する場合、第２コア部材５０の厚さ（Ｚ方向におけるサイズ）を第１コア部材４０よりも薄くすることで、封止剤の注入量を削減できる。
【００５７】
以下、第２ピン６４の３つの具体的な変形例について説明する。但し、本発明は、これに限られず、第２ピン６４は、更に様々に変形可能である。また、第１ピン６２も、様々に変形可能である。
【００５８】
図７を参照すると、第１変形例による第２ピン６４Ａの夫々は、蓋３４の第２孔３４４のみによって保持されている。第２ピン６４Ａの夫々は、第２下端部（下端部）６４８Ａを有している。第２ピン６４Ａの夫々は、上述した実施の形態と同様に、第２空間３８４とケース３０の外部との間を延びている。但し、第２ピン６４Ａのいずれの部位も、第２空間３８４の内部に位置していない。第２巻線５６の端部５６８は、蓋３４に形成された孔（図示せず）を通過してケース３０の外部まで延びている。端部５６８は、ケース３０の外部において第２ピン６４の下端部６４８Ａに接続されている。
【００５９】
第１変形例によっても、端部５６８を長く延ばすことなく、第２ピン６４Ａに接続可能である。特に、第２コア部材５０（図６参照）は、蓋３４の真下に位置する第２空間３８４の内部に収容されているため、端部５６８は、長く延ばすことなくケース３０の外部に引き出し易い。また、第２コア部材５０の厚さ（Ｚ方向におけるサイズ）を薄くすることで、端部５６８を更に短くしてケース３０の外部に容易に引き出せる。第１変形例から理解されるように、第２コア部材５０が、第２巻線５６の端部５６８が第２空間３８４において第２ピン６４Ａに接続可能となるようにして延びている限り、端部５６８は、実際に第２空間３８４において第２ピン６４Ａに接続されていなくてもよい。
【００６０】
図８を参照すると、第２変形例による第２ピン６４Ｂの夫々は、蓋３４の第２孔３４４のみによって保持されている。第２ピン６４Ｂの夫々は、第２下端部（下端部）６４８Ｂを有している。下端部６４８Ｂは、スペーサ３２の上方に位置しており、上下方向（Ｚ方向）と直交する方向に延びるように折れ曲がっている。第２巻線５６の端部５６８は、第２ピン６４Ｂの下端部６４８Ｂに接続されている。本変形例によれば、下端部６４８Ｂは、上下方向と直交する方向に延びており、これにより第２ピン６４Ｂは、Ｌ字形状を有している。但し、下端部６４８Ｂは、上下方向と交差する方向に延びるように折れ曲がっていてもよい。
【００６１】
図９を参照すると、第３変形例による第２ピン６４Ｃの夫々は、蓋３４の第２孔３４４のみによって保持されている。第２ピン６４Ｃの夫々は、第２下端部（下端部）６４８Ｃを有している。下端部６４８Ｃは、スペーサ３２の上方に位置している。第２巻線５６の端部５６８は、第２ピン６４Ｃの下端部６４８Ｃに接続されている。
【符号の説明】
【００６２】
１０                                  電流検出装置
２０                                  電流センサ
３０                                  ケース
３０２                                収容部
３０８                                通過孔
３２                                  スペーサ
３２２                                第１保持部
３２４                                第２保持部
３２６                                第１面
３２８                                第２面
３４                                  蓋
３４２                                第１孔（第１保持部）
３４４                                第２孔（第２保持部）
３８２                                第１空間
３８４                                第２空間
４０                                  第１コア部材
４２                                  第１磁気コア
４４                                  第１コアケース
４６                                  第１巻線
４６８                                第１端部（端部）
４８                                  第１シールド
５０                                  第２コア部材
５２                                  第２磁気コア
５４                                  第２コアケース
５６                                  第２巻線
５６８                                第２端部（端部）
５８                                  第２シールド
６２                                  第１ピン
６２２                                第１接続部
６２８                                第１下端部（下端部）
６４，６４Ａ，６４Ｂ，６４Ｃ          第２ピン
６４２                                第２接続部
６４８，６４８Ａ，６４８Ｂ，６４８Ｃ  第２下端部（下端部）
７０                                  信号処理回路
７２                                  励磁／検出部
７４                                  ＬＰＦ（ローパスフィルタ）
７６                                  第１判定部
７８                                  第２判定部
８０                                  外部導体
ＣＡ                                  交流（電流）
ＣＬ                                  漏電電流
ＳＤ１                                第１検出信号
ＳＤ２                                第２検出信号
ＳＯ１                                第１出力信号
ＳＯ２                                第２出力信号
【図１】
2018179570.tif 000003
【図２】
2018179570.tif 000004
【図３】
2018179570.tif 000005
【図４】
2018179570.tif 000006
【図５】
2018179570.tif 000007
【図６】
2018179570.tif 000008
【図７】
2018179570.tif 000009
【図８】
2018179570.tif 000010
【図９】
2018179570.tif 000011